(57)【要約】【課題】先の阪神淡路大震災では、家の倒壊や家具類の転倒、落下、横滑りによる死傷者が多数あった。その後、建物の補強金具が多数開発されたが、大地震では疑問である。なぜなら、例えて言えば、走っている電車に、靴の底に接着剤を塗って固定し、立っているようなもので限度を超えれば倒れる。また、家具でも壁や柱に金具で固定しても傷が付くばかりでなく、限度を超えた大地震では効果がない。また、免震材を、底に貼り付ける方法でも使い勝手が悪かったり、ゴミがたまるなどの問題があった。【解決手段】家具では、台輪の中に、業務用の強力な接着力の両面テープとスポンジゴムを利用して、床や壁、柱に傷の付かない免震装置を作った。また、建物では、摩擦が少なくて良くすべる研磨石材の上に、トラック用板バネとスポンジゴムの弾力を使い、揺れを半減させ、震度７にも対応出来る、免震装置。【選択図】    図１３
2005349162.tif 000002
【特許請求の範囲】
【請求項１】
室内のフローリングや畳の上にある家具を、地震時に、転倒や横滑りしないように、台輪の中にスポンジゴムを取り付けた免震装置。
【請求項２】
地震で家具が揺れると台輪の中の振動台が揺れて両面テープで固定し周囲がスポンジゴムで囲まれた固定台に当たり、このスポンジゴムの弾力によって衝撃が半減される免震装置。
【請求項３】
建物の基礎の上に、滑りやすい研磨した石材を敷き、その上に、約２メートル毎に設置してある免震装置フレームの中のトラック用板バネに、地震で横揺れした土台が当たり、また縦揺れに対して上部にあるスポンジゴムに当たって、共にその弾力により衝撃が半減される
免震装置。
【請求項４】
基礎のコーナーの方に向かっての揺れに対しては、土台がコーナー専用の免震装置フレームの中のスポンジゴムに当たり、衝撃が半減される免震装置。
【発明の詳細な説明】
【技術分野】
【０００１】本発明は地震時における家具や建物の衝撃を減少させる為の免震装置に関する。
【背景技術】
【０００２】従来の家具の地震対策には柱や壁にエル家具を取り付けたものがある。また、タンス等の上に突っ張り家具固定ポールを配置しているものがある（例えば非特許文献１参照。）。【０００３】また、テレビのコマーシャルで、タンスの四隅の下にゼリー状のクッション材を敷いて免震しているものがある（例えば非特許文献２参照。）。【０００４】また、住宅の土台部分にベアリングを設置して免震しているものがある。（例えば非特許文献３参照。）。以下、図１９、図２０、図２１により従来の免震装置について説明する。
【非特許文献１】「平安突っ張り家具固定ポール」平安伸銅工業株式会社
【非特許文献２】「アート引っ越しセンター、耐震マット」
【非特許文献３】「積水ハウス、住宅カタログ２００３」、積水ハウス株式会社、２００３免震住宅」
【発明の開示】
【発明が解決しようとする課題】
【０００５】突っ張り家具固定ポールにあっては、タンスと天井の間に設置するもので、外観が悪く、天井桟の強度が無いので大地震には耐えられない。【０００６】また、耐震マットは家具の下に、ゼリー状のマットを四隅に敷く物で、免震力はあるが、接着力が強いので家具本体を、ねじるようにしないと移動できないので壁際や、両端に家具があるような場所には設置しにくい。さらに、マットが約１センチの厚みがあるので、耐震マットと床の間に、隙間ができて外観も悪く、またホコリが溜るので、ダニの発生原因となる。また、二段、三段に重ねている家具のつなぎ目に使用すると、移動時に分解するのが困難である。【０００７】また、ベアリングを設置している免震住宅は、横揺れには強いが、大きな縦揺れには、対応できておらず、また突風等の強風には装置を切り換えて家を固定しないと家が大きく損傷する。【０００８】また、ビル等の免震に使われる積層ゴムは、少しの風で揺れて、いわゆるビル酔いになり建物も積層ゴムのようなクッションのある上に建てると，段々歪んで来る。【０００９】本発明は、このような従来の構成が有していた問題を、解決しようとするものであり、地震による大きな揺れを効果的に減少し、人は勿論、家具や建物に被害が出ないことを目的とするものである。
【課題を解決するための手段】
【００１０】本発明は、上記目的を達成するために、家具本体が揺れると台輪の中の振動台が揺れて、両面テープで固定し周囲がスポンジゴムで囲まれた固定台に当たり、このスポンジゴムにより衝撃が半減され、しかも床に傷がつかず、ゆっくりヘラを使って剥がすか、専用のシンナーを使えば簡単に移動出来る事を基本的特徴とする。【００１１】また、畳の上の設置にあっては、固定台と畳とを両面テープでくっつけて、さらに固定台から根太へ向かって、釘、又はビスで固定して、固定台の安定性を向上させて、床と同じ免震効果が発揮出来る。【００１２】建物が横揺れすると、基礎の上に設置してある板バネに土台が当たり、また、上下の揺れに対しては、免震装置フレーム上部のスポンジゴムに当たり、衝撃が半減される。【００１３】また、基礎に対して、斜めに揺れる地震には、基礎のコーナーにスポンジゴムを収納した免震装置を設置して衝撃を半減させる。
【発明の効果】
【００１４】本発明の免震装置は、家具にあっては、台輪の中に収納されて外観も良い。【００１５】床や畳にピッタリ置けるのでゴミが溜る事がなく衛生的である。【００１６】揺れに逆らわずに、固定台周囲のスポンジゴムに振動台が当たるので、本体に損傷が、ない。【００１７】特に、突き上げられる様な縦揺れにも強い。【００１８】経年変化が少なく、また移動も簡単である。【００１９】建物にあっては、基礎の上の研磨している石材に土台が乗っているので、積層ゴムや、ベアリングの上にあるものと比べると極めて安定していて、風の影響を受けにくい。【００２０】さらに、石材は研磨しているので滑りもよく、湿気を遮断出来るので、白アリ等の被害を受けにくい。【００２１】あらゆる角度の揺れにも対応出来る。【００２２】長期に使用しても劣化が少なく、高温多湿な所や、寒冷地にも設置出来る。
【発明を実施するための最良の形態】、
【実施例】
【００２３】以下、本発明の実施の形態を図１〜図１８に基づいて説明する。【００２４】図１は本棚の図である。本体１の下部に、台輪２を有している。【００２５】図２は本棚本体１を床３６の上に置いている図で、４は根太である。【００２６】図３は、台輪の中に免震装置を設置した図である。【００２７】根太４の上に床３６があり、その上に台輪２が乗っている。【００２８】さらに、台輪２の中には固定台６が両面テープ３８により、床３６に貼り付けられ、固定される。【００２９】また、固定台６には１１の固定台ボルト穴下側６個と１２の固定台ボルト穴上側６個が穴あけされ、３１固定台ボルト通し穴となり、固定台上ナット７、固定台上座金８、固定台下ナット９、固定台下座金１０により、固定ボルト１９が固定されている。【００３０】また、固定台６には、４面に１３固定台スポンジゴム小、３４固定台スポンジゴム大に囲まれる。【００３１】また、６の固定台を包むように１５振動台側板小と振動台側板大３２があり、その上に１４振動台がある。【００３２】また、１４振動台の内側には１６振動台スポンジゴム内側小と３３振動台スポンジゴム内側大が貼り付けられ、外側には１７振動台スポンジゴム外側小、３５振動台スポンジゴム外側大が貼り付けられる。【００３３】さらに、１４振動台には、２０振動台ボルト通し穴が穴あけされて、１９固定ボルトが通り、その周りには振動台ボルトスポンジゴム１８がある。【００３４】また、１４振動台の上には２２固定台ボルト頭があり、その下には２３固定ボルト座金
と２４押さえスポンジゴム用座金があり、その下に２１押さえスポンジゴムがある。【００３５】また、本棚本体１と１４振動台を固定する為に、２９本体固定用間座大に３９間座大ビス穴をあけて、さらに本体固定用間座小３０に間座小ビス穴４０をあける。【００３６】さらに、本棚本体１の底に２８本体固定用ビス穴を浅くあけて２７本体固定用ビスを振動台１４に取り付ける。【００３７】また、台輪の高さが低くて免震装置が入りにくい時は、振動台１４を省いて固定台６と、本棚本体１とを直接つなぎ本棚本体１が揺れて２５台輪スポンジゴム小や３７台輪スポンジゴム大が１３の固定台スポンジゴム小や３４の固定台スポンジゴム大に当たり、免震される。【００３８】図４は家具の免震装置の分解図である。【００３９】固定ボルト１９は２３固定ボルト座金、２４の押さえスポンジゴム用座金、２１押さえスポンジゴム、１８の振動台ボルトスポンジゴムを通り１４の振動台に固定される。【００４０】また、振動台スポンジゴム内側小１６は１５の振動台側板小に接着され、振動台スポ【００４１】また、固定ボルト１９は１４振動台を通り、固定台上ナット７、８の固定台上座金、６固定台の３１固定台ボルト通し穴、１０の固定台下座金を通り９の固定台下ナットで締め付け固定される。【００４２】さらに、固定台６には、固定台スポンジゴム大３４と１３固定台スポンジゴム小が、貼り付けられる。【００４３】また、３０の両面テープが上面を剥いで、６の固定台底に貼り付けられ、両面テープ３０の下面は、設置場所の取り付けの時に貼り付けられる。【００４４】図５は振動台スポンジゴムと台輪および台輪の内側のスポンジゴムの図である。【００４５】振動台スポンジゴム外側大３５は３２の振動台側板大へ取り付けられ１７の振動台スポンジゴム外側小は１５の振動台側板小へ取り付けられる。【００４６】また、３７の台輪スポンジゴム大は、２の台輪長手へ接着され、２５の台輪スポンジゴム小は３の台輪妻手へ接着される。【００４７】さらに、台輪長手３Ａと３Ｂの台輪妻手が組まれて一台の台輪２となる。【００４８】図６は、本棚本体と振動台とをつなぐ部材の図である。【００４９】本棚本体１の下部に２８の本体固定用ビス穴を明けて２９の本体固定用間座大と３０の本体固定用間座小にそれぞれ４０、３９の本体固定用ビス穴を明けて、２７の本体固定用ビスを１４の振動台に取り付ける。【００５０】  図７は、本棚本体を畳の上に設置している図である。【００５１】大引５の上に４の根太が乗り、その上に３６床が乗り、その上に４１畳が敷かれている。【００５２】また、固定台６から４の根太へ向かって４２の固定台用釘を打って固定する。なお、両面テープも使用する。【００５３】図８は、床の上にある本棚本体が強い地震により、突き上げられている図である。【００５４】押さえスポンジゴム２１が下から突き上げられ縮んで、揺れを吸収している。この時振動台１４と台輪２は少し浮き上がる。【００５５】図９は、本棚本体が地震で横揺れしている図である。【００５６】矢印の方向へ横揺れすると、振動台１４も横に動いて、１９の固定ボルトが、１８振動台ボルトスポンジゴムにあたる。また、同時に１６の振動台スポンジゴム内側小と１３���固定台スポンジゴム小に当たり、揺れを吸収している。【００５７】図１０は本発明の免震装置を設置する前の建物の基礎及び土台の図である。【００５８】基礎４６は従来より３倍程度広くして、４９免震装置固定ボルト穴を，２箇所設けておく。【００５９】また、基礎４６の上に４８研磨石材を敷く。これは４４の柱や４５の土台を乗せて地震の時に土台４５が滑りやすくする為で、下側は研磨せず４６基礎に乗せる。この方が噛みつきが良い。４３は地面である。なお、基礎と４６研磨石材は４７基礎ボルトで固定しておく。【００６０】図１１は現在、施工されている建物の基礎及び土台の図である。【００６１】地面４３の上に４６基礎を立ち上げ、その上に４５土台が乗り、４７基礎ボルトで固定し、４４の柱が立つ。【００６２】図１２は建物の免震装置の分解図である。【００６３】免震装置フレーム５０の中に５２板バネが入り５４の板バネ固定ボルトが５１板バネ固定ボルト穴を通り、５５板バネ固定座金、５６板バネ固定ナットにより固定される。【００６４】また、４６基礎には、５７免震装置固定ボルトを４９の免震装置固定ボルト穴を通り５８の免震装置固定ナットにより固定される。【００６５】また、免震装置フレーム５０の、内側上部には、縦揺れに対応するために６０押さえスポンジゴムを取り付けている。【００６６】図１４は、建物の基礎に免震装置を取り付けした図である。【００６７】地面４３に基礎４６が立ち上がり、上部に４８研磨石材が敷かれ、その上に４５土台が乗り、柱４４が立つ。【００６８】さらに、土台４５の上に５０免震装置フレームが乗り、５４の板バネ固定ボルトで、固定された５２の板バネで４５土台を挟む。【００６９】また、免震装置５０上部には、土台４５に軽く当たるように、６０の押さえスポンジゴムがある。【００７０】図１５は基礎が、強い地震により、突き上げられている図である。【００７１】下から強い地震に突き上げられると、４５の土台が持ち上げられて、６０の押さえスポンジゴムに当たると、この押さえスポンジゴムが変形して衝撃を吸収する。この時５９の土台隙間ができる。【００７２】図１６は同じく基礎が強い地震により右に揺れている図である。【００７３】矢印の方へ横揺れすると、土台４５は左へ押されて５２の板バネにあたり、その弾力で衝撃が吸収される。【００７４】また、この時、瞬間ではあるが５９土台隙間が出来るが５２板バネの力と４８研磨石材が滑りが良いので元の位置へすぐ戻る。【００７５】図１７は、同じく基礎が強い地震により左に揺れている図である。【００７６】矢印の方向へ横揺れすると、土台４５は右へ押されて５２板バネに当たり、その弾力で衝撃が吸収される。【００７７】またこの時、瞬間ではあるが、５９土台隙間が出来るが、５２の板バネの弾力ですぐに元の位置へ戻る。【００７８】図１８は建物が基礎のコーナーへ向かって揺れた場合の免震装置の分解図である。【００７９】部材、取り付け方法は同じである。【００８０】図１９非特許文献１は突っ張り家具固定ポールを設置した図である。【００８１】床６５の上に６２タンスを置き、その上に６３突っ張りポールを天井６４の間に設置するものである。【００８２】図２０非特許文献２は耐震マット���設置した図である。床６５の上に６２タンスを置き、その間に耐震マット６６を敷いた図であるが６７隙間が出来る。【００８３】図２１非特許文献３は土台部分にベアリングを使った免震装置の図である。【００８４】基礎７０の上に６９ベアリングを使った免震装置があり、その上に家６８が乗っている。【００８５】以上のように本実施形態によれば、大地震時の家具による死傷を防ぐ事が出来て、建物にあっては大地震や突風、湿気の影響を受けずに安心して生活できる免震装置として、提供するものである。
【図面の簡単な説明】寸法、形状の比例関係は、分かりやすくする為に誇張して、描いており、また、左右同じの箇所や、重複する説明は省略している。【図１】本発明の免震装置を設置する前の本棚本体と台輪の図である。
【図２】同じく本棚本体と台輪、床の断面図である。
【図３】同じく台輪の中に免震装置を内蔵した断面図である。
【図４】同じく免震装置の分解図である。
【図５】同じく免震装置の分解図である。
【図６】同じく本棚本体と振動台をつなぐ部材の斜視図である。
【図７】同じく本棚本体を畳の上に設置した断面図である。
【図８】同じく免震装置を内蔵した台輪が、下から突き上げられている断面図である。
【図９】同じく免震措置を内蔵した台輪が左へ揺られている断面図である。
【図１０】本発明の免震装置を設置する前の基礎及び土台の斜視図である。
【図１１】現行の建築基準法による基礎と土台の斜視図である。
【図１２】本発明の建物用免震装置の分解図である。
【図１３】同じく建物の基礎に免震装置を設置した斜視図である。
【図１４】同じく免震装置を基礎に設置した断面図である。
【図１５】同じく免震装置が地震により、下から突き上げられている断面図である。
【図１６】同じく免震装置が地震により、左へ揺られている断面図である。
【図１７】同じく免震装置が地震により右へ揺られている断面図である。
【図１８】同じくコーナー用の免震装置の分解図である。
【図１９】非特許文献１で突つ張り固定ポールを設置している図である。
【図２０】非特許文献２で、耐震マットを設置している図である。
【図２１】非特許文献３で、ベアリングの免震装置を設置している図である。
【符号の説明】
【００８７】  １  本棚本体
２  台輪
３Ａ台輪長手
３Ｂ台輪妻手
４  根太
５  大引
６  固定台
７  固定台上ナット
８  固定台上座金
９  固定台下ナット
１０  固定台下座金
１１  固定台ボルト穴下側
１２  固定台ボルト穴上側
１３  固定台スポンジゴム小
１４  振動台
１５  振動台側板小
１６  振動台スポンジゴム内側小
１７  振動台スポンジゴム外側小
１８  振動台ボルトスポンジゴム
１９  固定ボルト
２０  振動台ボルト通し穴
２１  押さえスポンジゴム
２２  固定ボルト頭
２３  固定ボルト座金
２４  押さえスポンジゴム用座金
２５  台輪スポンジゴム小
２６  台輪隙間
２７  本体固定用ビス
２８  本体固定用ビス穴
２９  本体固定用間座大
３０  本体固定用間座小
３１  固定台ボルト通し穴
３２  振動台側板大
３３  振動台スポンジゴム内側大
３４  固定台スポンジゴム大
３５  振動台スポンジゴム外側大
３６  床
３７  台輪スポンジゴム大
３８  両面テープ
３９  間座大ビス穴
４０  間座小ビス穴
４１  畳
４２  固定台用釘
４３  地面
４４  柱
４５  土台
４６  基礎
４７  基礎ボルト
４８  研磨石材
４９  免震装置固定ボルト穴
５０  免震装置フレーム
５１  板バネ固定ボルト穴
５２  板バネ
５３  板バネ固定ボルト穴
５４  板バネ固定ボルト
５５  板バネ固定座金
５６  板バネ固定ナット
５７  免震装置固定ボルト
５８  免震装置固定ナット
５９  土台隙間
６０  押さえスポンジゴム
６１  押さえスポンジゴム隙間
６２  タンス
６３  突っ張りポール
６４  天井
６５  床
６６  耐震マット
６７  隙間
６８  家
６９  ベアリング
７０  基礎
７１  コーナー用免震装置フレーム
７２  コーナー用スポンジゴム
【図１】
2005349162.tif 000003
【図２】
2005349162.tif 000004
【図３】
2005349162.tif 000005
【図４】
2005349162.tif 000006
【図５】
2005349162.tif 000007
【図６】
2005349162.tif 000008
【図７】
2005349162.tif 000009
【図８】
2005349162.tif 000010
【図９】
2005349162.tif 000011
【図１０】
2005349162.tif 000012
【図１１】
2005349162.tif 000013
【図１２】
2005349162.tif 000014
【図１３】
2005349162.tif 000015
【図１４】
2005349162.tif 000016
【図１５】
2005349162.tif 000017
【図１６】
2005349162.tif 000018
【図１７】
2005349162.tif 000019
【図１８】
2005349162.tif 000020
【図１９】
2005349162.tif 000021
【図２０】
2005349162.tif 000022
【図２１】
2005349162.tif 000023